(57)【特許請求の範囲】
【請求項１】
信号面内にランド(70)及びグルーブ(71)を形成し、ランド(70)又はグルーブ(71)内に、回転速度検出用のクロックマーク(72)を形成したディスク(７)に対して、ビーム(６)を照射するピックアップ(２)を対向させ、クロックマーク(72)を通過するビーム(６)の反射出力からディスク(７)の回転速度を一定に保つとともに、ランド(70)又はグルーブ(71)を照射したビーム(６)の反射出力から信号を再生するディスク記録又は再生装置にて、ビーム(６)の反射出力が最適となるように、ピックアップ(２)をディスク(７)に対して傾き調整し、該傾き調整は、ピックアップ(２)進行方向を含み、ディスク(７)に略直交した面内にて調整するrad調整と、ピックアップ(２)進行方向に直交し、ディスク(７)に略直交した面内にて調整するtan調整の２つがある調整方法であって、
ランド(70)又はグルーブ(71)を照射したビーム(６)のＭo信号レベルが最大レベルに近くなるように、rad調整を行い、次にtan調整を行う工程と、次に、クロックマーク(72)を通過するビーム(６)の反射出力をビーム(６)進行方向に沿って２分割し、両出力の差から求めた反射出力波形が上下対称に近づくようにtan調整を行う工程とを具えたピックアップ傾き調整方法。
【請求項２】
信号面内にランド(70)及びグルーブ(71)を形成し、ランド(70)又はグルーブ(71)内に、回転速度検出用のクロックマーク(72)を形成したディスク(７)に対して、ビーム(６)を照射するピックアップ(２)を対向させ、クロックマーク(72)を通過するビーム(６)の反射出力からディスク(７)の回転速度を一定に保つとともに、ランド(70)又はグルーブ(71)を照射したビーム(６)の反射出力から信号を再生するディスク記録又は再生装置にて、ビーム(６)の反射出力が最適となるように、ピックアップ(２)をディスク(７)に対して傾き調整し、該傾き調整は、ピックアップ(２)進行方向を含み、ディスク(７)に略直交した面内にて調整するrad調整と、ピックアップ(２)進行方向に直交し、ディスク(７)に略直交した面内にて調整するtan調整の２つがある調整方法であって、
クロックマーク(72)を通過するビーム(６)の反射出力をビーム(６)進行方向に沿って２分割し、両出力の差から求めた反射出力波形が上下対称に近づくようにtan調整を行う工程と、次に、ランド(70)又はグルーブ(71)を照射したビーム(６)のＭo信号レベルが最大レベルに近くなるように、rad調整を行い、次にtan調整を行う工程とを具えたピックアップ傾き調整方法。
【発明の詳細な説明】
【０００１】
【発明の属する技術分野】
本発明は、光磁気ディスクの信号面に対してピックアップを傾ける調整方法に関する。
【０００２】
【従来の技術】
図４は、従来のディスク記録又は再生装置の斜視図である。シャーシ(１)上には、周知の如くディスク(７)を載置して回転させるターンテーブル(３)と、該ターンテーブル(３)に接近離間可能に設けられたピックアップ(２)を具える。ピックアップ(２)は上面に対物レンズ(22)を具え、シャーシ(１)上の２本のガイド軸(４)(４)に移動を案内される。各ガイド軸(４)の両端部は、ブラケット(９)(９)に受けられる。
図５は、光磁気ディスク(７)の裏面図である。ディスク(７)の信号面には、円周方向に沿って凸部であるランド(70)と凹部であるグルーブ(71)が交互に形成されている。ランド(70)には信号が磁気記録されており、レーザー光が磁性面に反射されると、レーザー光は僅かに捻られて反射する。尚、グルーブ(71)に信号が記録されていてもよい。この場合、Ｓ極にレーザー光を当てたときと、Ｎ極にレーザー光を当てたときとでは反射光の捻り方向が異なる(周知のカー効果である)。この捻り方向から０と１からなるデジタル信号を再生する。
また、ビーム(６)がランド(70)から外れて、グルーブ(71)を照射すると、信号が正しく再生されない。このため、ビーム(６)の反射出力を図５のＡとＢに示す如く、左右半分に分け、ＡとＢの出力差が０になるように、ビーム(６)をディスク半径方向に動かしている。これが、トラッキング調整である。
【０００３】
近年、ディスク(７)には、信号が高密度記録されたものがある。かかるディスクでは、ランド(70)(70)の間隔が狭いから、この高密度記録された信号を読み出すために、ビーム径を小径にしている。
レーザー光の光軸がディスク(７)の信号面に対して僅かに傾いた場合、ディスク厚みに比例してコマ収差が発生することが知られている。このコマ収差は再生信号波形に歪みを与え、ジッタを悪化させる。換言すれば、レーザー光の光軸がディスク(７)の信号面に対して傾くと、ジッタを悪化させやすいので、レーザー光の光軸の傾きを補正することが必要となる。
そこで、シャーシ(１)上にピックアップ(２)の傾きを調整する機構を設け、ディスク記録又は再生装置を製造する工程に於いて、レーザー光の光軸とディスク(７)の信号面を直交させ、高密度記録されたディスクをスムーズに再生することが提案されている。ここで、図６(b)に示すように、ガイド軸(４)に沿う方向を含み、シャーシ(１)に垂直な面内にてピックアップ(２)を傾き調整することをrad調整、図６(a)に示すように、ガイド軸(４)に沿う方向に直交し、シャーシ(１)に垂直な面内にてピックアップ(２)を傾き調整することをtan調整と呼ぶ。また、調整機構の概略は後記する。
【０００４】
図７は、ピックアップ(２)の内部を概説した図である。ピックアップ(２)はレーザー光源(20)を内蔵し、該光源(20)からのレーザー光はビームスプリッタ(21)を通過して対物レンズ(22)によりディスク(７)上に合焦する。ディスク(７)に反射された光は、ビームスプリッタ(21)に反射されて、一部反射ミラー(23)により２手に分けられる。一方の光を偏光ビームスプリッタ(24)を通過させて、前記の如く、ディスク(７)に記録された信号Ｍoの０と１レベルを判別し、他方の光から検出器(25)(26)によって周知のフォーカス信号Ｆo、トラッキング信号Ｔrを得る。即ち、Ｍo信号と他の信号は、別の光路から検出される。Ｍo信号と、フォーカス信号Ｆo、トラッキング信号Ｔrは、サーボ回路(27)に入力される。
従来のrad調整、tan調整は、Ｍo信号のレベル、ジッター(時間軸変動)、ビットエラーレートを測定し、これらの値が最良となる傾き位置にて傾き調整を終了する。
【０００５】
出願人は、以前かかる光磁気ディスクに於いて、以下のように、ディスク(７)内に、回転速度の基準信号となるべき構成を設けることを提案している。図８は、出願人が提案したディスク(７)に於けるランド(70)とグルーブ(71)の拡大平面図であり、ランド(70)とグルーブ(71)を直線で示す。ランド(70)上には、凹部であるクロックマーク(72)(72)が等間隔に設けられ、該ランド(70)に沿うクロックマーク(72)の長さは、ビーム(６)の径に略等しい。
ビーム(６)の出力は、ビーム(６)進行方向に沿って、ＡとＢに２分割され、Ａの出力からＢの出力を減じれば、ビーム(６)がクロックマーク(72)を通過したことを示す電気信号が得られる。図９(a)に示すように、Ｂがランド(70)でＡがクロックマーク(72)内にあれば、Ａ−Ｂの出力は正の最大となる。図９(b)に示すように、ＢとＡがクロックマーク(72)内にあれば、Ａ−Ｂの出力は当然に０となる。図９(c)に示すように、Ｂがクロックマーク(72)内でＡがランド(70)内にあれば、Ａ−Ｂの出力は負の最大となる。従って、ビーム(６)がクロックマーク(72)を通過すると、図１０に示すように、０レベルを中心として上下対称なパルス波形を有する電気信号が得られる。出願人は、この電気信号をtanプッシュプル信号ＴＨと呼んでおり、このtanプッシュプル信号ＴＨが出現する時間が略一定間隔となるように、ディスク(７)の回転速度、即ちターンテーブル(３)の回転速度を制御している。このtanプッシュプル信号ＴＨは、図７のサーボ回路(27)に入力される。
【０００６】
【発明が解決しようとする課題】
然るに、前記の如く、Ｍo信号と該ビーム(６)を２分割して得られる信号は、別の光路から検出されるから、Ｍo信号が最大となるようにピックアップ(２)を傾けても、tanプッシュプル信号は必ずしも、正確な波形、即ち上下対称な波形とは成らない虞れがある。
換言すれば、ビームスプリッタ(21)、偏光ビームスプリッタ(24)、一部反射ミラー(23)等のピックアップ(２)内の取付け精度のズレによって、Ｍo信号が最大となるピックアップ(２)の傾き角と、tanプッシュプル信号の波形が最良となるピックアップ(２)の傾き角は異なる虞れがある。
tanプッシュプル信号が略上下対称な波形から崩れた波形となれば、ビーム(６)がクロックマーク(72)を通過したことを検出できず、ディスク(７)が一定速度で回転していることを検出できない虞れがある。
本発明の目的は、Ｍo信号を最適にしつつ、ディスクの回転速度を正確に検出することにある。
【０００７】
【課題を解決する為の手段】
信号面内にランド(70)及びグルーブ(71)を形成し、ランド(70)又はグルーブ(71)内に、回転速度検出用のクロックマーク(72)を形成したディスク(７)に対して、ビーム(６)を照射するピックアップ(２)を対向させ、クロックマーク(72)を通過するビーム(６)の反射出力からディスク(７)の回転速度を一定に保つとともに、ランド(70)又はグルーブ(71)を照射したビーム(６)の反射出力から信号を再生するディスク記録又は再生装置にて、ビーム(６)の反射出力が最適となるように、ピックアップ(２)をディスク(７)に対して傾き調整し、該傾き調整は、ピックアップ(２)進行方向を含み、ディスク(７)に略直交した面内にて調整するrad調整と、ピックアップ(２)進行方向に直交し、ディスク(７)に略直交した面内にて調整するtan調整の２つがある調整方法であって、
ランド(70)又はグルーブ(71)を照射したビーム(６)のＭo信号レベルが最大レベルに近くなるように、rad調整を行い、次にtan調整を行う工程と、次に、クロックマーク(72)を通過するビーム(６)の反射出力をビーム(６)進行方向に沿って２分割し、両出力の差から求めた反射出力波形が上下対称に近づくようにtan調整を行う工程とを具えている。
【０００８】
【作用及び効果】
本発明にあっては、ランド(70)又はグルーブ(71)を照射したビーム(６)の反射出力、即ちＭo信号が最大となるように、rad調整とtan調整を行う。また、クロックマーク(72)を通過するビーム(６)の反射出力波形、即ちtanプッシュプル信号の波形が適切となるようにtan調整をも行う。これにより、Ｍo信号が最大レベルに近くなるピックアップ(２)の傾き角の範囲内にて、tanプッシュプル信号の波形を最良とすることができる。従って、信号の０と１レベルを正確に検知しつつ、ディスク(７)が一定速度で回転していることを検出できる。
【０００９】
【発明の実施の形態】
以下、本発明の一例である傾き調整方法を図を用いて詳述する。
ディスク記録又は再生装置の概要は、図４とほぼ同じであり、ガイド軸(４)の両端部を受けるブラケット(９)内にガイド軸(４)の傾き調整機構がある。図１は、ディスク記録又は再生装置の平面図であり、後述の便宜上、４つのブラケット(９)(９)(９)(９)とピックアップ(２)のみを示す。又、図２は、図１のブラケット(９)をＣ−Ｃ線を含む面にて破断した断面図である。ブラケット(９)は上面及び内側側面が開口し、該開口に蓋体(90)が被さる。内側側面を通ってガイド軸(４)が嵌まり、該ガイド軸(４)はブラケット(９)内部の圧縮バネ(91)によって上向きに付勢されている。蓋体(90)にはネジ(92)が螺合し、ネジ(92)の下端部はガイド軸(４)に接している。ガイド軸(４)を下げるには、圧縮バネ(91)に抗してネジ(92)を押し込み、ガイド軸(４)を上げるには、ネジ(92)を緩める。図１に於いて、左側のガイド軸(４)に接するネジを符号(92)(93)とし、両ガイド軸(４)(４)の一端部に接するネジを符号(92)(94)とする。
【００１０】
(傾き調整時)
Ｍo信号でのrad調整
ガイド軸(４)の傾きを調整するには、先ず両ガイド軸(４)(４)の一端部に接するネジ(92)(94)を回転させて、Ｍo信号レベルを見ながらrad調整を行う。
この調整時には、両ネジ(92)(94)を一定量だけ回転させ、Ｍo信号レベルを検出した後に、再度ネジ(92)(94)を一定量だけ回転させる動作を繰り返す。各ネジ回転量毎のＭo信号レベルを測定器内のメモリに取り込んで図３に×点で示すように、グラフ化する。図３に実線で示す如く、最小二乗法にて曲線近似して、Ｍo信号レベルが最大となるネジ回転量、具体的にはＭ点にて、調整を停止する。
Ｍo信号レベルを取り込む回数が数回ならば、短時間に精度良く、ピックアップ(２)の傾きを調整できる。
Ｍo信号でのtan調整
次に、同様にＭo信号レベルが最大となるように、tan調整を行う。即ち、一方のガイド軸(４)に接する両ネジ(92)(93)を回転させて、ピックアップ(２)の片側を持ち上げ、又は下げる。Ｍo信号レベルが最大となるネジ回転量にて、調整を停止する。
tanプッシュプル信号でのtan調整
この後に、tanプッシュプル信号ＴＨの波形を見ながら、tanプッシュプル信号の波形が上下対称に近づくように、tan調整を行う。具体的には、図１０に示すtanプッシュプル信号の上半分の振幅をＨ、下半分の振幅をＤとしたときに、Ｈ／Ｄ又はＤ／Ｈが０.８以上になるように調整する。０.８以上としたのは、Ｈ／Ｄ又はＤ／Ｈが０.８未満になれば、波形が崩れすぎて、サーボ回路(27)がビーム(６)がクロックマーク(72)を通過したことを正しく検出できないからである。
【００１１】
本例にあっては、Ｍo信号が最大レベルに近くなるピックアップ(２)の傾き角の範囲内にて、tanプッシュプル信号の波形を最良とすることができる。従って、信号の０と１レベルを正確に検知しつつ、ディスク(７)が一定速度で回転していることを検出できる。
【００１２】
このtan調整の意義を、図３のグラフを用いて説明する。図３の一点鎖線は、tan調整時のネジ回転量に伴うtanプッシュプル信号の上下の振幅比の変化を示したグラフであり、Ｌ点で示す１.０を上限とする。即ち、ここでの振幅比とは小さい方の振幅を大きい方の振幅で除去した値である。振幅比は１.０が望ましいが、前記の如く、０.８でもサーボ回路(27)はビーム(６)がクロックマーク(72)を通過したことを検出でき、一点鎖線は振幅比が０.８以上の範囲を示している。また、ネジ回転量が多いほど、ピックアップ(２)の傾き量が大きいのは言うまでもない。
出願人の経験上、一点鎖線で示す振幅比が０.８以上の範囲と、Ｍo信号が最大レベルに近くなるネジ回転量では、図３に斜線で示すようにオーバーラップ部分がある。ネジ回転量がこのオーバーラップ内の範囲で、ピックアップ(２)を傾き調整すれば、サーボ回路(27)はビーム(６)がクロックマーク(72)を通過したことを検出でき、且つＭo信号レベルが最大近傍であるから、再生信号のレベルが低すぎることもない。
但し、Ｍo信号レベルが最大となるように、tan調整を行った後に、tanプッシュプル信号ＴＨの波形の上下振幅比が０.８以内であれば、tanプッシュプル信号を用いてtan調整を行う必要はない。
【００１３】
尚、tanプッシュプル信号の波形を見ながら、rad調整はしない。この理由はrad調整ではピックアップ(２)進行方向を含む面内にて、ピックアップ(２)を傾けるから、仮にrad調整にてランド(70)又はグルーブ(71)を横切るように調整しても、ピックアップ(２)の進行により、ビーム(６)が必ずランド(70)を照射し、サーボ回路(27)はビーム(６)がクロックマーク(72)を通過したことを検出できるからである。
これに対し、tan調整ではランド(70)又はグルーブ(71)を横切るように調整すると、ピックアップ(２)が進行しても、ビーム(６)がクロックマーク(72)を正しく照射しないから、tanプッシュプル信号の上下の振幅比が異なることになる。従って、tanプッシュプル信号の波形を見ながらtan調整を行うのである。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、クロックマーク(72)はランド(70)内に設けられているとしたが、グルーブ(71)内に設けられていてもよい。また、rad調整とtan調整は、どちらを前後に行ってもよい。
更に、上記例ではＭo信号にてrad調整、tan調整をした後に、tanプッシュプル信号にてtan調整を行うとしているが、tanプッシュプル信号にてtan調整を行った後に、Ｍo信号にてrad調整、tan調整をしてもよい。
【図面の簡単な説明】
【図１】ディスク記録又は再生装置の平面図である。
【図２】図１のブラケットをＣ−Ｃ線を含む面にて破断した断面図である。
【図３】ネジ回転量とＭo信号レベルの変化、及び振幅比の変化を示すグラフである。
【図４】従来のディスク記録又は再生装置の斜視図である。
【図５】光磁気ディスクの裏面図である。
【図６】(a)は図４をＡ方向から見た図でありtan調整を、(b)は図４をＢ方向から見た側面図でありrad調整を夫々示す図である。
【図７】ピックアップの内部を概説した図である。
【図８】ランドとグルーブの拡大平面図である。
【図９】ビームがクロックマークを横切る状態を示す図である。
【図１０】tanプッシュプル信号ＴＨの波形を示す図である。
【符号の説明】
(２)  ピックアップ
(６)  ビーム
(７)  ディスク
(70)  ランド
(71)  グルーブ
(72)  クロックマーク
【図１】
0003796139.tif 000002
【図２】
0003796139.tif 000003
【図３】
0003796139.tif 000004
【図４】
0003796139.tif 000005
【図５】
0003796139.tif 000006
【図６】
0003796139.tif 000007
【図７】
0003796139.tif 000008
【図８】
0003796139.tif 000009
【図９】
0003796139.tif 000010
【図１０】
0003796139.tif 000011